(57)【要約】【課題】落下物による衝撃に耐えるとともにナイフ等の鋭利な道具によって損傷しにくくて、床材や壁材などが傷まないように確実に保護することができる養生マットを提供する。【解決手段】ポリエチレンフォーム２の上にポリ塩化ビニルシート３を積層してプラスチック積層体１を形成し、ポリ塩化ビニルシート３の外周端部に金属素材含有接着テープ４を貼着する。【選択図】図３
0003138391.tif 000002
【実用新案登録請求の範囲】
【請求項１】
プラスチック発泡体の上にプラスチックシートを積層してプラスチック積層体を形成し、上記プラスチックシートの外周端部に金属素材含有接着テープを貼着した構造を有することを特徴とする養生マット。
【請求項２】
金属素材含有接着テープは、粘着テープの粘着層に金属素材を貼着し、該金属素材に両面粘着テープを貼着した構造を有することを特徴とする請求項１記載の養生マット。
【請求項３】
金属素材は、金網、金属の針金、または金属の平板であることを特徴とする請求項１または２記載の養生マット。
【考案の詳細な説明】
【技術分野】
【０００１】
本考案は、建築工事で使用する養生マットに関する。詳しくは、床材や壁材や建具や家具やドアや各種内装材などが傷まないように、それらの部材の上に敷くための養生マットであって、この養生マットの上で建物の仕上げ施工をするための養生マットに関する。
【背景技術】
【０００２】
従来、建物の仕上げ施工をする際に、床などが汚れたり、傷まないように、床などの上にクラフト紙等の養生シートを敷いて、この養生シートの上で作業をするということが一般的に行われている。また、この養生シートの上に合板等の補助材を敷いて、この補助材の上で作業が行われる場合もある。さらに、補助材を敷き、その補助材の上に養生シートを敷いて、その養生シートの上で作業が行われることもある。
【０００３】
しかしながら、養生シートだけでは機械的強度が弱いために、この養生シートの上を歩いたり、養生シートの上に梯子を据え付けたりすると、破れて、床などが傷むことがあった。また、この養生シートの上にハンマー等の道具を落とすと、この道具の落下による衝撃で床などが窪むことがある。さらに、この養生シートの上に合板等の補助材を敷き、この上で作業をすると、合板は一般に養生シートより厚くて機械的強度が大きいから、床などは傷みにくい。従って、養生シートを敷くだけのときより好ましいが、合板の上を歩いたり、合板の上で作業をすると、合板の表面が汚れる。また、合板の上にハンマー等の道具を落としたりすると、合板が傷むので、数回使用するだけで合板を交換する必要がある。しかも、合板は一般に高価であるから、施工コストが高くなるという問題もある。
【０００４】
また、合板の上に養生シートを敷くと、合板が移動し難くて好ましいが、養生シートが破れて合板が表面に出ると、この部分の合板が傷みやすい。従って、使用回数は合板だけのときより多くなるが、それでも高価な合板を使用することによる施工コストの上昇は避けられない。
【０００５】
そこで、移動し難く、機械的強度の大きい補助材と養生シートを使用する比較的安価な建物内の施工方法として、特許文献１には、図５（ａ）（ｂ）（ｃ）  に示すように、床材の上に敷かれた化粧床材２１の上に、ポリエチレンシート２２とポリエチレン樹脂発泡シート２３とからなる補助材２４を、ポリエチレンシート２２を上側にして敷き、この補助材２４の上に、中芯厚紙からなる紙２５と、この紙２５の上に一面に薄く塗布されたポリエチレン樹脂２６と、このポリエチレン樹脂２６で接着された複数本のポリプロピレン樹脂製紐２７とからなる養生シート２８を敷き、この養生シート２８の周囲の縁部を粘着テープ２９で化粧床材２１の上に貼り付け、養生シート２８と隣接する養生シート２８とを粘着テープ２９で繋ぎ合わせ、この養生シート２８の上で壁や天井の仕上げ施工をする方法が開示されている（以下、従来技術１という）。
【０００６】
従来技術１によれば、補助材と養生シートからなる２重構造材の上で施工するので、ハンマー程度の重量の道具が養生シート上に落下しても、床面が損傷する可能性は低くなることが期待できる。ところが、施工に際しては、ハンマー以外にも様々な道具が使用される。例えば、材料の端面を揃えるためにナイフ等の鋭利な道具が使用されるとき、ナイフ等の鋭利な道具によって補助材および養生シートを確実に損傷しないように施工することは容易でない。そのため、従来技術１の施工方法では、ナイフ等の鋭利な道具によってそれら補助材と養生シートが簡単に切断されてしまい、床面が傷んでしまう。
【０００７】
また、貼り付け及び剥離が容易に行える養生材料として、特許文献２には、図６に示すように、織物、不織布、紙、プラスチックの中から選ばれた支持体３１の片面に弾性フォーム層３２をコーティングし、この弾性フォーム層３２を保護するプラスチックフィルム３３を弾性フォーム層３２に貼り合わせ、支持体３１の反対面に両面粘着テープ３４を貼り合わせた構造の養生材料が開示されている（以下、従来技術２という）。
【０００８】
従来技術２によれば、弾性フォーム層３２がクッション材の役目をするので、 ハンマー程度の重量の道具が養生材料上に落下しても、床面が損傷する可能性が低くなることは期待できる。ところが、施工時にナイフ等の鋭利な道具が使用されると、従来技術１と同様に、その養生材料が簡単に切断されてしまい、床面が傷んでしまう。
【０００９】
さらに、特許文献３には、合成ゴム２０重量部乃至８０重量部と、粘着付与剤および合成ゴムの老化防止剤を含む粘着剤組成物が、溶剤もしくはプロセスオイルを一切使用せずに支持基体に塗工された塗装養生用粘着テープが開示されている（以下、従来技術３という）。この従来技術３に係るテープは、単なる塗装養生用粘着テープであって、養生材料および床面などが損傷しないように保護することはできない。
【特許文献１】特開平９−２７９８５４号公報
【特許文献２】特開平７−２１６７５８号公報
【特許文献３】特開２００５−２９０３１５号公報
【考案の開示】
【考案が解決しようとする課題】
【００１０】
本考案は従来技術の有する上記のような問題点に鑑みてなされたものであって、その目的は、建物内で施工する際に床材や壁材などの上に敷くための養生マットであって、落下物による衝撃に耐えるとともにナイフ等の鋭利な道具によって損傷しにくくて、床材や壁材などが傷まないように確実に保護することができる養生マットを提供することにある。
【課題を解決するための手段】
【００１１】
上記目的を達成するために本考案の養生マットの要旨は、プラスチック発泡体の上にプラスチックシートを積層してプラスチック積層体を形成し、上記プラスチックシートの外周端部に金属素材含有接着テープを貼着したことを特徴としている。
【００１２】
金属素材含有接着テープとしては、粘着テープの粘着層に金属素材を貼着し、該金属素材に両面粘着テープを貼着した構造を有するものを使用することができる。
【００１３】
金属素材としては、金網、金属の針金、または金属の平板などを使用することができる。
【考案の効果】
【００１４】
本考案は上記のように構成されているので、次のような効果を奏する。
【００１５】
プラスチック発泡体が衝撃を緩和するクッションのような作用をするので、落下物による衝撃に耐えて床材や壁材などが傷まないように確実に保護することができる。また、金属素材含有接着テープによってナイフ等の鋭利な道具による養生マット端部の損傷を避けることができる。従って、床面などが損傷することはない。
【考案を実施するための最良の形態】
【００１６】
以下に本考案を実施するための最良の形態について説明する。
（１）プラスチック発泡体
プラスチック発泡体は衝撃を緩和するクッションの役目をするものであり、ポリスチレンフォーム、ポリエチレンフォーム、ポリプロピレンフォーム、塩化ビニルフォーム、ビスコーススポンジ、ゴムフォーム、ＥＶＡフォーム、ＡＢＳフォーム、ポリアミドフォーム、アクリルフォームなどの熱可塑性樹脂フォーム、ウレタンフォーム、フェノールフォーム、ユリアフォーム、シリコンフォーム、エポキシフォームなどの熱硬化性樹脂フォームのいずれのものも使用することができる。この中では、衝撃吸収性が非常に優れ、繰り返し衝撃に対する吸収性が特に大きくて、加工性に優れているポリエチレンフォームを好ましく用いることができる。
【００１７】
また、プラスチック発泡体の発泡倍率は、発泡体の強度、被着体との密着性の点からみて、２ないし１０倍程度が好ましく、プラスチック発泡体の厚さは、被着体との密着性の点からみて、３mmないし１０mm程度が好ましい。
（２）プラスチックシート
プラスチックシートはプラスチック発泡体の表面保護を図る役目をするものであるが、厚くなりすぎると施工時の作業性が低下することがあるので、その厚さは１mmないし３mm程度が好ましい。
【００１８】
具体的には、ポリ塩化ビニルシート、ポリカーボネートシート、ポリエチレンシート、ポリエチレンテレフタレートシート、ポリプロピレンシート、ポリブタジエンシートなどの熱可塑性プラスチックシートを好ましく用いることができるが、これ以外の熱可塑性プラスチックシートを用いることもできる。
（３）粘着テープ
粘着テープとは、基材フィルムの片面に粘着剤を塗布し、もう一方の面に剥離剤を塗布したテープであり、セロハンテープ、クラフト紙粘着テープ、布粘着テープ、ポリ塩化ビニルテープ、アセテートテープ、フィラメント補強テープなどを好ましく用いることができる。
（４）両面粘着テープ
両面粘着テープとは、基材フィルムの両面に粘着剤を塗布したテープであり、市販されているいずれの両面粘着テープも使用することができる。
（５）金属素材
金属素材はナイフ等の鋭利な道具による損傷から養生マットを保護する機能を果たすものであり、金網、金属の針金、金属の平板などを好ましく用いることができるが、上記機能を果たすことができるものであれば、他の金属素材を用いることもできる。
【実施例】
【００１９】
以下に本考案の実施例を図面を参照しながら説明するが、本考案は下記実施例に限定されるものではなく、本考案の技術的範囲を逸脱しない範囲において、適宜変更や修正が可能である。
【００２０】
図１は、本考案の養生マットを構成するプラスチック積層体１の斜視図である。図１において、プラスチック積層体１は、ポリエチレンフォーム（厚さが５mmで、エムケイ産業株式会社製の商品名Ｂ−４７０）２の上面に両面粘着テープを貼着してポリ塩化ビニルシート（厚さが２mmで、オカモト株式会社製の商品名スーパーフィルムインタック）３が積層された構造である。
【００２１】
図２（ａ）は、本考案の養生マットを構成する金属素材含有接着テープ４の断面図である。図２（ａ）において、金属素材含有接着テープ４は、布粘着テープ（コーナン商事株式会社製の商品名カラー粘着テープ）５の粘着層に、図２（ｂ）に示すような金網６を貼着し、さらに、金網６に両面粘着テープ（株式会社ニトムズ製の商品名厚手両面テープＳ）７を貼着し、両面粘着テープ７の下面に剥離紙８が貼着された構造を有している。
【００２２】
図３は、本考案の養生マット９の使用状態の一例を示す概略図であり、完成直前のマンションの台所のカウンター１０の上面に両面粘着テープを貼着して、その上に図１に示すプラスチック積層体１を載置し、さらに、図２（ａ）に示す金属素材含有接着テープ４の剥離紙８を剥離して、両面粘着テープ７側をプラスチック積層体１のポリ塩化ビニルシート３の外周端部の必要な箇所に貼着した状態を示している。この場合、プラスチック積層体１の平面寸法をカウンター１０より小さくして、プラスチック積層体１から外側にはみ出るように金属素材含有接着テープ４を貼着することもできる。１１は床面である。
【００２３】
この場合、壁面１２には一般にクロスと称されているインテリア材料が貼着されることが多く、壁面１２とカウンター１０の境界線１３からはみ出た余分なクロスはナイフ等の鋭利な道具で切断除去される。このとき、ナイフ等の鋭利な道具を境界線１３に正確に沿わせて忠実に余分なクロスを切断除去することは必ずしも容易ではない。そのため、ナイフ等の鋭利な道具が養生マット９の端部上を走ることもある。しかし、本考案の養生マット９の端部には金属素材含有接着テープ４が貼着されているので、ナイフ等の鋭利な道具が誤って養生マット９の端部上を走っても、金属素材含有接着テープ４で保護されてプラスチック積層体１が切断されるようなことはなく、もちろん、カウンター１０が傷つくことはない。
【００２４】
さらに、本考案の養生マット９はポリエチレンフォーム２を備えているので、ハンマーなどが養生マット９上に落下しても、その落下に伴う衝撃はポリエチレンフォーム２が吸収するので、カウンター１０が傷つくことはない。
【００２５】
なお、金属素材含有接着テープ４の幅Ｗや長さは、上記効果を発揮するように、実際の台所のカウンターの大きさに合わせて、あるいは施工場所の状況に応じて定めるのが好ましい。もちろん、本考案の養生マットは、台所のカウンター以外にも、床材や壁材や建具や家具やドアなど様々な部材を仕上げ施工時の損傷から保護するために使用できることは言うまでもない。
【００２６】
さらに、本考案の養生マットは、使用箇所で必要とされる大きさに適宜切断することにより繰り返し使用することが可能である。
【００２７】
図４は、本考案の養生マット１４を、実際の完成直前のマンションの台所のカウンター１５に使用した状態を示す写真である。この場合、プラスチック積層体内に埃やゴミが入らないように、黒色のポリ塩化ビニルテープ１６がプラスチック積層体の外周に貼着されている。
【図面の簡単な説明】
【００２８】
【図１】本考案の養生マットを構成するプラスチック積層体１の斜視図である。
【図２】図２（ａ）は本考案の養生マットを構成する金属素材含有接着テープ４の断面図、図２（ｂ）は金網の平面図である。
【図３】本考案の養生マット９の使用状態の一例を示す概略図である。
【図４】本考案の養生マット１４を、実際の完成直前のマンションのカウンター１５に使用した状態を示す写真である。
【図５】図５（ａ）は従来技術１の補助材の断面図、図５（ｂ）は従来技術１の養生シートの断面図、図５（ｃ）は従来技術１の施工状態を示す説明図である。
【図６】従来技術２の養生材料の側面図である。
【符号の説明】
【００２９】
１  プラスチック積層体
２  ポリエチレンフォーム
３  ポリ塩化ビニルシート
４  金属素材含有接着テープ
５  布粘着テープ
６  金網
７  両面粘着テープ
８  剥離紙
９  養生マット
１０  台所のカウンター
１１  床面
１２  壁面
１３  境界線
１４  養生マット
１５  台所のカウンター
１６  ポリ塩化ビニルテープ
【図１】
0003138391.tif 000003
【図２】
0003138391.tif 000004
【図３】
0003138391.tif 000005
【図４】
0003138391.tif 000006
【図５】
0003138391.tif 000007
【図６】
0003138391.tif 000008